(57)【要約】【課題】  バッテリー容量の有効活用を図る携帯型通信装置を提供する。【解決手段】  バッテリー切替回路部１２は、予備バッテリー１２１又はメインバッテリー１２２を選択して、負荷部２０に電源供給を行うバッテリーを切り替える。携帯型通信装置１００は、予備バッテリー１２１から電源が供給されている状態で通信要求が発生した際に、予備バッテリー１２１の端子電圧が、通信時に電源断が発生するおそれがある警戒電圧範囲内にあると判断するときには、通信の開始にあたり、電源供給するバッテリーをメインバッテリー１２２に切り替える。また、メインバッテリー１２２から電源が供給されている状態で通信が終了した際に、予備バッテリー１２１の端子電圧が、動作可能最低電圧よりも小さくないと判断するときには、電源供給するバッテリーを予備バッテリー１２１に切り替える【選択図】    図１
2006129626.tif 000002
【特許請求の範囲】
【請求項１】
第１バッテリーと第２バッテリーとを切り替えて電源供給が可能な携帯型通信装置であって、
電源供給に使用するバッテリーを第１バッテリーと第２バッテリーとの間で切り替える切替手段と、
前記第１バッテリーから電源が供給されている状態で通信要求が発生すると、前記第１バッテリーの端子電圧と、所定の第１電圧とを比較して、該比較の結果、前記第１バッテリーの端子電圧が前記第１電圧よりも小さいと判断するときには、電源供給するバッテリーを前記第１バッテリーから前記第２バッテリーに切り替えるように前記切替手段に指示して通信を開始し、かつ、前記第２バッテリーから電源が供給されている状態で通信が終了すると、前記第１バッテリーの端子電圧と、前記第１電圧よりも低い所定の第２電圧とを比較し、該比較の結果、前記第１バッテリーの端子電圧が前記第２電圧よりも小さくないと判断すると、電源供給するバッテリーを前記第２バッテリーから前記第１バッテリーに切り替えるように前記切替手段に指示する制御手段とを備えることを特徴とする携帯型通信装置。
【請求項２】
前記制御手段は、更に、通信中に、第１バッテリーから電源が供給されているときには、前記第１バッテリーの端子電圧と、前記第１電圧とを比較し、該比較の結果、前記第１バッテリーの端子電圧が前記第１電圧よりも小さいと判断するときには、電源供給するバッテリーを前記第１バッテリーから前記第２バッテリーに切り替えるように前記切替手段に指示する、請求項１に記載の携帯型通信装置。
【請求項３】
前記第２バッテリーが本体内に内蔵されている、請求項１又は２に記載の携帯型通信装置。
【請求項４】
前記第１バッテリーが本体に着脱可能である、請求項１〜３の何れかに一に記載の携帯型通信装置。
【請求項５】
前記第１電圧が、通信時に電源断が発生するバッテリー容量に対応するバッテリー電圧の上限値である、請求項１〜４の何れか一に記載の携帯型通信装置。
【請求項６】
前記第２電圧が、携帯型通信装置の動作可能最低電圧である、請求項１〜５の何れか一に記載の携帯型通信装置。
【請求項７】
第１バッテリーと第２バッテリーを切り替えて電源供給が可能な携帯型通信装置のバッテリー切替方法において、
前記第１バッテリーから電源が供給されている状態で通信要求が発生すると、前記第１バッテリーの端子電圧と、所定の第１電圧とを比較し、該比較の結果、前記第１バッテリーの端子電圧が前記第１電圧よりも小さいと判断するときには、通信の開始にあたり、電源供給するバッテリーを前記第１バッテリーから前記第２バッテリーに切り替えるステップと、
前記第２バッテリーから電源が供給されている状態で通信が終了すると、前記第１バッテリーの端子電圧と、前記第１電圧よりも低い所定の第２電圧と比較し、該比較の結果、前記第１バッテリーの端子電圧が、前記第２電圧よりも小さくないと判断すると、電源供給するバッテリーを前記第２バッテリーから前記第１バッテリーに切り替えるステップとを有することを特徴とするバッテリー切替方法。
【発明の詳細な説明】
【技術分野】
【０００１】
本発明は、携帯型通信装置及びバッテリー切り替え方法に関し、更に詳しくは、メインバッテリーと予備バッテリーとを切り替えて使用する機器におけるバッテリー切り替え方法、及び、そのような方法によって電源を供給するバッテリーを切り替える携帯型通信装置に関する。
【背景技術】
【０００２】
近年、携帯型通信装置の小型化が進んでおり、それに伴い、搭載されるバッテリーの体積の最小化やデザインの観点から、携帯型通信装置内にバッテリーが内蔵されるようになってきた。このような携帯型通信装置では、小型のバッテリーを使用しており、その小型ゆえにバッテリー容量の確保が難しいという問題がある。この問題を回避する技術としては、例えば特許文献１や特許文献２に記載されるような、携帯型通信装置に、外部電源供給として予備バッテリーを装着し、バッテリーの総容量を増加させるシステムが知られている。
【０００３】
図６（ａ）及び（ｂ）は、メインバッテリーと予備バッテリーのバッテリー残容量を模式的に示している。同図を参照して、従来の携帯型通信装置におけるバッテリーの切り替えについて説明する。通常、予備バッテリー容量が十分に残っている状態（同図（ａ））では、携帯型通信装置は、予備バッテリーを選択して、予備バッテリーから電源の供給を受ける。携帯型通信装置の使用により、予備バッテリーの残容量が減っていき、予備バッテリーの電圧Ｖ１が、携帯型通信装置をハード的に動作させるために最低限必要な電圧Ｖ０を下回ると、携帯型通信装置は、使用するバッテリーをメインバッテリーに切り替えて、メインバッテリー（電圧Ｖ２）から電源の供給を受ける（同図（ｂ））。
【特許文献１】特開２００３−６１２６１号公報（図２）
【特許文献２】特表２００２−５２０９８９号公報（段落０００７）
【発明の開示】
【発明が解決しようとする課題】
【０００４】
ところで、携帯型通信装置では、通話が開始されると、無線の送信パワーが大きいため、待受け状態に比して消費電力が大きくなり、バッテリー電圧には、バースト的な電圧ドロップが生じる。このため、予備バッテリーの残容量が少なく、そのバッテリー電圧が、Ｖ０にかなり近づいている状態で通話を開始すると、通話開始時のバースト的な電圧ドロップにより、電源電圧がＶ０を下回って、電源断が発生することになる。
【０００５】
複数のバッテリーを有するシステムでは、他に使用できるバッテリーが存在するにもかかわらず、使用中のバッテリーの容量が残りわずかであるために電源断が発生することは、システムとして問題がある。そのような問題を回避するため、従来の携帯型通信装置は、図７（ａ）に示すように、予備バッテリーの電圧が、通信時の電圧ドロップによって電源断が発生する電圧範囲（警戒電圧範囲）にある場合に、メインバッテリーが十分な容量を有しているときには、使用するバッテリーを、メインバッテリーに切り替えている。
【０００６】
上記の場合、通話終了時には、予備バッテリーは、図７（ｂ）に示すように、通話時に電源を供給できる容量は有していないものの、その電圧はまだＶ０にまで低下していないため、わずかではあるが、使用可能な容量を有している。しかし、通話時に、使用するバッテリーがメインバッテリーに切り替えられると、予備バッテリーの容量は空になったとみなされ、その後、待受け状態に戻っても、使用するバッテリーがメインバッテリーから予備バッテリーに切り替えられることはなく、予備バッテリーの残容量が有効に利用されることはなかった。
【０００７】
従来、メインバッテリー切り替え後の予備バッテリーの残容量は、わずかな量であるため、これを有効利用しなくても、大きな問題はないと考えられていた。しかしながら、可能な限り使用可能時間を延ばすためには、メインバッテリーの容量の減少を最小限に抑える必要があり、予備バッテリーに残ったわずかな容量を無視することはできない。
【０００８】
本発明は、予備バッテリーの残容量を使い切ることができ、バッテリーの全容量を効率的に使用することができる携帯型通信装置及びバッテリーの切り替え方法を提供することを目的とする。
【課題を解決するための手段】
【０００９】
上記目的を達成するために、本発明の携帯型通信装置は、第１バッテリーと第２バッテリーとを切り替えて電源供給が可能な携帯型通信装置であって、電源供給に使用するバッテリーを第１バッテリーと第２バッテリーとの間で切り替える切替手段と、前記第１バッテリーから電源が供給されている状態で通信要求が発生すると、前記第１バッテリーの端子電圧と、所定の第１電圧とを比較して、該比較の結果、前記第１バッテリーの端子電圧が前記第１電圧よりも小さいと判断するときには、電源供給するバッテリーを前記第１バッテリーから前記第２バッテリーに切り替えるように前記切替手段に指示して通信を開始し、かつ、前記第２バッテリーから電源が供給されている状態で通信が終了すると、前記第１バッテリーの端子電圧と、前記第１電圧よりも低い所定の第２電圧とを比較し、該比較の結果、前記第１バッテリーの端子電圧が前記第２電圧よりも小さくないと判断すると、電源供給するバッテリーを前記第２バッテリーから前記第１バッテリーに切り替えるように前記切替手段に指示する制御手段とを備えることを特徴とする。
【００１０】
また、本発明のバッテリー切替方法は、第１バッテリーと第２バッテリーを切り替えて電源供給が可能な携帯型通信装置のバッテリー切替方法において、前記第１バッテリーから電源が供給されている状態で通信要求が発生すると、前記第１バッテリーの端子電圧と、所定の第１電圧とを比較し、該比較の結果、前記第１バッテリーの端子電圧が前記第１電圧よりも小さいと判断するときには、通信の開始にあたり、電源供給するバッテリーを前記第１バッテリーから前記第２バッテリーに切り替えるステップと、前記第２バッテリーから電源が供給されている状態で通信が終了すると、前記第１バッテリーの端子電圧と、前記第１電圧よりも低い所定の第２電圧と比較し、該比較の結果、前記第１バッテリーの端子電圧が、前記第２電圧よりも小さくないと判断すると、電源供給するバッテリーを前記第２バッテリーから前記第１バッテリーに切り替えるステップとを有することを特徴とする。
【００１１】
本発明の携帯型通信装置及びバッテリー切替方法では、第２バッテリーを使用している状態で通信が終了したときには、第１バッテリーに通信後に使用可能な容量が残っているか否かを調査して、残っているときには、使用するバッテリーを第１バッテリーに切り替えている。このようにすることで、第１バッテリーの容量を有効に使い切ることができ、バッテリー容量の全体の有効活用を図ることができる。
【００１２】
本発明の携帯型通信装置では、前記制御手段は、更に、通信中に、第１バッテリーから電源が供給されているときには、前記第１バッテリーの端子電圧と、前記第１電圧とを比較し、該比較の結果、前記第１バッテリーの端子電圧が前記第１電圧よりも小さいと判断するときには、電源供給するバッテリーを前記第１バッテリーから前記第２バッテリーに切り替えるように前記切替手段に指示することが好ましい。この場合、通信中に第１バッテリーの容量が少なくなって電源断が発生する事態を防止することができる。
【００１３】
本発明の携帯型通信装置では、前記第２バッテリーが本体内に内蔵されている構成を採用でき、前記第１バッテリーが本体に着脱可能である構成を採用できる。
【００１４】
本発明の携帯型通信装置では、前記第１電圧が、通信時に電源断が発生するバッテリー容量に対応するバッテリー電圧の上限値であることが好ましい。この場合、第２バッテリーの容量が十分にあるような場合に、第１バッテリーの残容量が少なくなって電源断が発生する事態を防止できる。
【００１５】
本発明の携帯型通信装置では、前記第２電圧が、携帯型通信装置の動作可能最低電圧であることが好ましい。この場合、通信終了時に、第１バッテリーの電圧が動作可能最低電圧以上であるときには、第１バッテリーから電源を供給することができ、第１バッテリーの残容量を有効に使用することができる。
【発明の効果】
【００１６】
本発明の携帯型通信装置及びバッテリー切替方法では、通信開始時に、第１バッテリーの端子電圧が所定の第１電圧よりも小さいときには使用するバッテリーを第２バッテリーに切り替え、通信終了時に、第１バッテリーの端子電圧が、第１電圧よりも低い第２電圧よりも小さいくないときには、使用するバッテリーを第１バッテリーに切り替える。このようにすることにより、通信時に第１バッテリーを使用できない場合でも、通信後に第１バッテリーを使用することができ、第１バッテリーの容量を有効に使い切ることができる。このため、バッテリー容量の全体の有効活用を図って、携帯型通信装置の使用可能時間を延ばすことができる。
【発明を実施するための最良の形態】
【００１７】
以下、図面を参照し、本発明の実施の形態を詳細に説明する。図１は、本発明の一実施形態の携帯型通信装置の構成を機能ブロック図で示している。携帯型通信装置１００は、電源部１０と負荷部２０とを有する。電源部１０は、充電回路部１１と、バッテリー切替回路部１２とを有する。負荷部２０は、ＣＰＵ２１と、インタフェース部２２とを有する。インタフェース部２２は、携帯型通信装置１００において、通話等の機能を提供するためのメモリ、ＬＣＤ、音源、無線ＲＦ、カメラ、キー入力等のユーザインタフェースや無線通信インタフェースを有する。
【００１８】
バッテリー切替回路部１２は、予備バッテリー１２１とメインバッテリー１２２とを有する。メインバッテリー１２２は、例えばリチウムイオン電池として構成され、携帯型通信装置１００内に内蔵される。予備バッテリー１２１は、携帯型通信装置１００に着脱可能に構成される。バッテリー切替回路部１２は、ＣＰＵ２１からの指令に基づいて、メインバッテリー１２２及び予備バッテリー１２１の何れか一方を選択し、選択したバッテリーから、負荷部２０に電源を供給する。充電回路部１１は、バッテリー切替回路部１２に電源を供給して、メインバッテリー１２２又は予備バッテリー１２１の充電制御を行う。
【００１９】
図２は、バッテリー切替回路部１２の詳細な構成を示している。バッテリー切替回路部１２は、負荷部２０に電源を供給するバッテリーを切り替えるためのスイッチング部Ａ１２３、スイッチング部Ｂ１２４、及び、切替ＩＣ１２５を有する。スイッチング部Ａ１２３及びスイッチング部Ｂ１２４は、それぞれ、ＰチャネルＭＯＳ型シリコン電界効果トランジスタ等を用いて構成される。スイッチング部Ａ１２３は、予備バッテリー１２１と負荷部２０との間の接続を制御する。スイッチング部Ｂ１２４は、メインバッテリー１２２と負荷部２０との間の接続を制御する。
【００２０】
切替ＩＣ１２５は、制御（ＣＯＮＴ）信号により、ＣＰＵ２１との間で情報をやり取りする。切替ＩＣ１２５は、予備バッテリー１２１の電圧Ｖ１、及び、メインバッテリー１２２の電圧Ｖ２を取得し、その電圧値Ｖ１、Ｖ２を、ＣＯＮＴ信号によって、ＣＰＵ２１に通知する。ＣＰＵ２１は、予備バッテリー１２１の残容量、及び、メインバッテリー１２２の残容量と、携帯型通信装置１００の動作状況とに応じて、負荷部２０に電源を供給すべきバッテリーを決定し、切替ＩＣ１２５に、ＣＯＮＴ信号を通じて、予備バッテリー１２１とメインバッテリー１２２との何れを選択すべきかを指示する。切替ＩＣ１２５は、ＣＰＵ２１からの指示に基づいて、スイッチング部Ａ１２３及びスイッチング部Ｂ１２４の何れか一方をオンに、他方をオフにし、負荷部２０に電源を供給するバッテリーを選択する。
【００２１】
図３は、待受け状態時の携帯型通信装置１００におけるバッテリーの切り替え動作をフローチャートで示している。携帯型通信装置１００の電源投入直後は、バッテリー切替回路部１２は、ハード的に、メインバッテリー１２２を選択するようになっており、利用者が携帯型通信装置の電源をオンにすると、ＣＰＵ２１は、予備バッテリー１２１の電圧Ｖ１を取得して、その電圧Ｖ１と、携帯型通信装置１００をハード的に動作させるために最低限必要な電圧Ｖ０とを比較する（ステップＳ３１）。
【００２２】
携帯型通信装置１００は、予備バッテリー１２１の残容量があるときには、これを優先的に使用する。ＣＰＵ２１は、ステップＳ３１で、予備バッテリー１２１の電圧Ｖ１が、動作最低電圧Ｖ０よりも大きいと判断したときには、つまり、予備バッテリー１２１の残容量が存在するときには、切替ＩＣ１２５を介して、スイッチング部Ａ１２３及びスイッチング部Ｂ１２４を操作して、負荷部２０に電源を供給するバッテリーを、メインバッテリー１２２から予備バッテリー１２１に切り替える（ステップＳ３２）。
【００２３】
予備バッテリー１２１の残容量がない、或いは、予備バッテリー１２１が装着されていないときには、ステップＳ３１で、予備バッテリー１２１の電圧Ｖ１が、動作最低電圧Ｖ０よりも小さいと判断される。この場合には、メインバッテリー１２２が使用され、予備バッテリー１２１への切り替えは行われない。
【００２４】
ＣＰＵ２１は、予備バッテリー１２１への切り替え後、予備バッテリー１２１の電圧Ｖ１をモニターし、電圧Ｖ１が動作最低電圧Ｖ０よりも小さいか否かを判断する（ステップＳ３３）。ＣＰＵ２１は、予備バッテリー１２１の電圧Ｖ１が、動作最低電圧Ｖ０よりも小さくなったと判断すると、メインバッテリー１２２の電圧Ｖ２を取得して、その電圧Ｖ２と、動作最低電圧Ｖ０とを比較して（ステップＳ３４）、メインバッテリー１２２の容量が残っていることを確認する。
【００２５】
ＣＰＵ２１は、ステップＳ３４で、メインバッテリー１２２の電圧Ｖ２が動作最低電圧Ｖ０よりも大きくないと判断すると、携帯型通信装置１００の電源を遮断する処理を行う（ステップＳ３８）。ＣＰＵ２１は、ステップＳ３４で、メインバッテリー１２２の電圧Ｖ２が動作最低電圧Ｖ０よりも大きいと判断すると、切替ＩＣ１２５を介して、スイッチング部Ａ１２３及びスイッチング部Ｂ１２４を操作して、負荷部２０に電源を供給するバッテリーを、予備バッテリー１２１からメインバッテリー１２２に切り替える（ステップＳ３５）。
【００２６】
負荷部２０にメインバッテリー１２２から電源が供給されている状態にあるとき、ＣＰＵ２１は、予備バッテリー１２１の電圧Ｖ１をモニターして、電圧Ｖ１が、通話開始による電圧ドロップによって動作最低電圧Ｖ０以下にバースト的にドロップして電源断が発生する電圧範囲（以下、警戒電圧範囲とも呼ぶ）内にあるか否かを判断する（ステップＳ３６）。メインバッテリー１２２が選択されている状態で、予備バッテリー１２１が充電済みのものに交換され、或いは、装着されていなかった予備バッテリー１２１が装着された場合には、ステップＳ３６で、電圧Ｖ１が警戒電圧範囲の上限よりも大きいと判断される。この場合、ステップＳ３２へ移行して、ＣＰＵ２１は、予備バッテリー１２１への切り替えを行う。
【００２７】
ステップＳ３６で、電圧Ｖ１が、警戒電圧範囲内にあると判断されたときには、ＣＰＵ２１は、ステップＳ３３と同様に、現在使用中のメインバッテリー１２２の電圧Ｖ２をモニターし、電圧Ｖ２が動作最低電圧Ｖ０よりも小さいか否かを判断する（ステップＳ３７）。ＣＰＵ２１は、メインバッテリー１２２の電圧Ｖ２が、動作最低電圧Ｖ０よりも小さくなったと判断すると、使用可能なバッテリー容量がなくなったと判断して、ステップＳ３８へ移行し、携帯型通信装置１００の電源を遮断する処理を行う。ＣＰＵ２１は、電圧Ｖ２が、動作最低電圧Ｖ０よりも小さくないと判断すると、ステップＳ３６へ移行して、予備バッテリー１２１のモニタを行う。
【００２８】
図４は、予備バッテリー１２１によって電源が供給されている状態で通話開始要求があったときの携帯型通信装置１００におけるバッテリーの切り替え動作をフローチャートで示している。携帯型通信装置１００は、待受け状態時（図３）に、予備バッテリー１２１が選択されている状態で、着信を検出し、或いは、利用者による発信要求があると、図４に示す手順に従って、電源供給を行うバッテリーを切り替える。
【００２９】
ＣＰＵ２１は、インタフェース部２２の無線ＲＦからの通知により着信を検出すると、、或いは、ユーザーがインタフェース部２２のキー入力を操作することで通話開始要求が発生すると、現在使用中の予備バッテリー１２１の電圧Ｖ１が、警戒電圧範囲内にあるか否かを判断する（ステップＳ４０１）。ＣＰＵ２１は、電圧Ｖ１が警戒電圧範囲内であると判断すると、つまり、電圧Ｖ１が警戒電圧範囲の上限値よりも小さいと判断すると、予備バッテリー１２１の残容量が、通話を行うには足りないと判断して、使用するバッテリーを、メインバッテリー１２２に切り替える処理を実行する。
【００３０】
メインバッテリー１２２への切り替えに際して、ＣＰＵ２１は、メインバッテリー１２２の電圧Ｖ２が、警戒電圧範囲内にあるか否かを判断する（ステップＳ４０２）。ＣＰＵ２１は、ステップＳ４０２で、メインバッテリー１２２の電圧Ｖ２が、警戒電圧範囲の上限値よりも小さいと判断すると、通話開始を許可せずに、処理を終了する。ステップＳ４０２で、電圧Ｖ２が、警戒電圧範囲の上限値よりも小さいくないと判断すると、ＣＰＵ２１は、切替ＩＣ１２５を介して、スイッチング部Ａ１２３及びスイッチング部Ｂ１２４を操作し、負荷部２０に電源を供給するバッテリーを、予備バッテリー１２１からメインバッテリー１２２に切り替える（ステップＳ４０３）。
【００３１】
バッテリーの切り替え後、ＣＰＵ２１は、通話開始処理を実行する（ステップＳ４０４）。ＣＰＵ２１は、通話開始後は、現在使用中のメインバッテリー１２２の電圧Ｖ２をモニタして、電圧Ｖ２が動作最低電圧Ｖ０よりも小さいか否かを判断する（ステップＳ４０５）。ＣＰＵ２１は、メインバッテリー１２２の残容量が少なくなり、電圧Ｖ２が動作最低電圧Ｖ０よりも小さくなったと判断すると、電源をオフにする処理を実行し（ステップＳ４０９）、処理を終了する。ＣＰＵ２１は、ステップＳ４０５で電圧Ｖ２が動作最低電圧Ｖ０よりも小さくないと判断した場合には、通話が終了したか否かを判断し（ステップＳ４０６）、通話が終了するまで、ステップＳ４０５のメインバッテリー１２２の電圧Ｖ２のモニタを継続して行う。
【００３２】
ステップＳ４０１で、ＣＰＵ２１が、予備バッテリー１２１の電圧Ｖ１が警戒電圧範囲内ではない、つまり、電圧Ｖ１が警戒電圧範囲の上限値よりも小さくないと判断すると、使用するバッテリーを切り替えずに、通話開始処理を実行する（ステップＳ４１０）。ＣＰＵ２１は、通話開始後は、現在使用中の予備バッテリー１２１の電圧Ｖ１をモニタして、電圧Ｖ１が警戒電圧範囲内にあるか否かを判断する（ステップＳ４１１）。電圧Ｖ１が警戒電圧範囲内にないと判断した場合には、通話が終了したか否かを判断し（ステップＳ４０６）、通話が終了するまで、ステップＳ４１１の予備バッテリー１２１の電圧Ｖ１のモニタを継続して行う。
【００３３】
予備バッテリー１２１の残容量が少なくなり、ステップＳ４１１で、予備バッテリー１２１の電圧Ｖ１が警戒範囲内にあると判断すると、ＣＰＵ２１は、ステップＳ４０２と同様に、メインバッテリー１２２の電圧Ｖ２が、警戒電圧範囲内にあるか否かを判断し（ステップＳ４１３）、ステップＳ４０３と同様に、負荷部２０に電源を供給するバッテリーを、メインバッテリー１２２に切り替える（ステップＳ４１４）。その後、ＣＰＵ２１は、ステップＳ４０５及びステップＳ４０６により、通話が終了するまで、メインバッテリー１２２の電圧Ｖ２のモニタを継続する。
【００３４】
図５（ａ）及び（ｂ）は、それぞれ予備バッテリー及びメインバッテリーの残容量を示している。例えば、予備バッテリー１２１の残容量が、同図（ａ）に示すように、警戒電圧範囲内にあるときに通話要求が発生すると、通話開始に際して、使用するバッテリーがメインバッテリー１２２に切り替えられる。その後、同図（ｂ）に示すように、通話によって、メインバッテリー１２２の残容量は徐々に減少していく。通話が終了した状態では、同図（ｃ）に示すように、予備バッテリー１２１には、通話時に電源を供給する能力はないものの、通話以外であれば使用できる容量が残っている。本実施形態では、この予備バッテリー１２１の残容量を有効活用する。
【００３５】
通話開始に際して、或いは、通話中に使用するバッテリーがメインバッテリー１２２に切り替えられた後に、通話が終了すると、ＣＰＵ２１は、予備バッテリー１２１の電圧Ｖ１と、動作最低電圧Ｖ０とを比較し（ステップＳ４０７）、予備バッテリー１２１の残容量がまだ残っているか否かを判定する。ＣＰＵ２１は、電圧Ｖ１が動作最低電圧Ｖ０よりも小さいときには、予備バッテリー１２１に使用可能な容量が残っていないと判断して、そのまま処理を終了する。ＣＰＵ２１は、電圧Ｖ１が動作最低電圧Ｖ０よりも小さくないと判断したときには、使用するバッテリーを予備バッテリー１２１に切り戻して（ステップＳ４０８）、通話の処理を終了する。
【００３６】
本実施形態では、通話開始に際して、或いは、通話中に、使用するバッテリーが予備バッテリー１２１からメインバッテリー１２２に切り替えられた場合、通話終了後に、予備バッテリー１２１の残容量がまだ残っているか否かを調べて、まだ残っているときには、使用するバッテリーを、メインバッテリー１２２から予備バッテリー１２１に切り戻している。このため、予備バッテリー１２１の容量が使い切られるまで、予備バッテリー１２１から電源を供給することができ、予備バッテリー１２１の残容量を有効に活用することができる。これにより、携帯型通信装置１００が使用可能なバッテリー容量の全容量が増加し、携帯型通信装置１００の動作時間を延ばすことができる。
【００３７】
なお、上記実施形態では、予備バッテリー１２１を１つ有する場合について説明したが、予備バッテリーが複数あるときについても、上記と同様な動作により、予備バッテリーの残容量を有効活用することができる。例えば、予備バッテリー１２１がＮ個ある場合には、Ｎ個の予備バッテリーの使用順番に従って、現在使用中のバッテリーの電圧を電圧Ｖ１と読み替え、その次に使用すべきバッテリーの電圧をＶ２と読み替えて、図３又は図４に示す手順にしたがって、使用中のバッテリーの容量を使い切ってから、次に使用すべきバッテリーに切り替えればよい。
【００３８】
例えば、予備バッテリーが２つある場合について考える。この場合において、通話中に、第１の予備バッテリー１２１ａの電圧Ｖ１ａが警戒電圧範囲まで低下して第２の予備バッテリー１２１ｂに切り替え、その後、第２の予備バッテリー１２１ｂの電圧Ｖ１ｂが警戒電圧範囲にまで低下してメインバッテリー１２２に切り替えた後に通話を終了した場合には、ステップＳ４０７で、第１の予備バッテリー１２１ａの残容量が残っているか否かを調べ、残っていないときには、第２の予備バッテリー１２１ｂの残容量が残っているかを調べて、容量が残っている予備バッテリーに切り替えればよい。このようにすることで、各予備バッテリーの容量を使い切ることができる。
【００３９】
以上、本発明をその好適な実施形態に基づいて説明したが、本発明の携帯型通信装置及びバッテリー切り替え方法は、上記実施形態例にのみ限定されるものではなく、上記実施形態の構成から種々の修正及び変更を施したものも、本発明の範囲に含まれる。
【図面の簡単な説明】
【００４０】
【図１】本発明の一実施形態の携帯型通信装置の構成を示す機能ブロック図。
【図２】バッテリー切替回路部１２の詳細な構成を示すブロック図。
【図３】待受け状態時の携帯型通信装置１００におけるバッテリーの切り替え動作を示すフローチャート。
【図４】予備バッテリー１２１によって電源が供給されている状態で通話開始要求があったときの携帯型通信装置１００におけるバッテリーの切り替え動作を示すフローチャート。
【図５】（ａ）、（ｂ）、及び（ｃ）は、それぞれ予備バッテリー及びメインバッテリーの残容量を示す模式図。
【図６】（ａ）及び（ｂ）は、メインバッテリーと予備バッテリーのバッテリー残容量を示す模式図。
【図７】（ａ）及び（ｂ）は、メインバッテリーと予備バッテリーのバッテリー残容量を示す模式図。
【符号の説明】
【００４１】
１０：電源部
１１：充電回路部
１２：バッテリー切替回路部
２０：負荷部
２１：ＣＰＵ部
２２：インタフェース部
１００：携帯型通信装置
１２１：予備バッテリー
１２２：メインバッテリー
１２３：スイッチング部Ａ
１２４：スイッチング部Ｂ
１２５：切替ＩＣ
【図１】
2006129626.tif 000003
【図２】
2006129626.tif 000004
【図３】
2006129626.tif 000005
【図４】
2006129626.tif 000006
【図５】
2006129626.tif 000007
【図６】
2006129626.tif 000008
【図７】
2006129626.tif 000009